(57)【要約】【課題】磁石埋込型回転子において、ボンド磁石をロータコアのスロットに十分に充填して、スロットの端部（隅部）での減磁の抑制、磁力低下の抑制を図る。【解決手段】ロータコア(30)には、ボンド磁石が注入されるスロット(33)が形成される。上記ロータコア(30)の回転軸方向の下端部には、該下端部を塞ぐ下端板(40)が配置される。該下端板(40)には、上記スロット(33)の少なくとも一部に対応する箇所に上記スロット(33)に開口する凹部(45)が形成されている。従って、ボンド磁石の注入（射出）時には、上記下端板(40)の凹部(45)にも上記ボンド磁石の一部が注入される。【選択図】図２
2014057443.tif 000002
【特許請求の範囲】
【請求項１】
回転電気機械のロータコア(30)に形成したスロット(33)にボンド磁石が注入された磁石埋込型回転子であって、
上記ロータコア(30)の回転軸方向の両端部のうち少なくとも一方には、該端部を塞ぐ端板(40)、(71)、(81)、(91)が配置され、
上記端板(40)、(71)、(81)、(91)には、上記スロット(33)の少なくとも一部に対応する箇所に上記スロット(33)に開口する凹部(45)、(74)、(84)が形成されて、
上記端板(40)、(71)、(81)、(91)の凹部(45)、(74)、(84)には、上記ボンド磁石の一部が注入されている
ことを特徴とする磁石埋込型回転子。
【請求項２】
上記請求項１記載の磁石埋込型回転子において、
上記端板(40)の凹部(45)は、上記スロット(33)の端面形状と同一形状に開口する
ことを特徴とする磁石埋込型回転子。
【請求項３】
上記請求項１記載の磁石埋込型回転子において、
上記端板(71)の凹部(74)は、上記スロット(33)の中央部(33b)のみに開口する
ことを特徴とする磁石埋込型回転子。
【請求項４】
上記請求項１記載の磁石埋込型回転子において、
上記端板(81)の凹部(84)は、上記スロット(33)の両端部(33a)のみに開口する
ことを特徴とする磁石埋込型回転子。
【請求項５】
上記請求項１、３及び４の何れか１項に記載の磁石埋込型回転子において、
上記端板(71)、(81)は、貫通孔を有する２枚の端板(70)、(80)よりなり、
上記２枚の端板(70)、(80)のうち一方を他方に対して所定角度ずらして重ねて上記凹部(74)、(84)が形成されている
ことを特徴とする磁石埋込型回転子。
【発明の詳細な説明】
【技術分野】
【０００１】
本発明は、磁石埋込型回転子に関し、特に、ボンド磁石をロータコアのスロットに射出成形で注入充填するものに関する。
【背景技術】
【０００２】
従来、磁石埋込型（Interior Permanent Magnet）電動機では、ロータコアに複数のスロットを設け、これらのスロットに磁石を埋め込んで磁石埋込型回転子として、ロータ表面に磁石を貼り付けた表面貼付型回転子のように高回転時での磁石の飛散を防止している。
【０００３】
このような磁石埋込型回転子の製造には、従来、ロータコアの各スロットにボンド磁石（熱可塑性樹脂混合磁石）を射出成形で充填する技術がある。この技術は、例えば特許文献１では、成形金型の下型のロータコア収容部にロータコアを装着した後、上型の注入口（ゲート）からボンド磁石を注入（射出）して、ロータコアの各スロットにボンド磁石を充填する構成が採用されている。
【先行技術文献】
【特許文献】
【０００４】
【特許文献１】特開２００３−４７２１２号公報
【発明の概要】
【発明が解決しようとする課題】
【０００５】
しかしながら、上記従来の技術では、ロータコアを成形金型の下型のロータコア収容部に装着した場合、ロータコアの下端面は下型のロータコア収容部の上端面に面接触するだけである。このため、図８に示すように、ロータコア(95)と下型(96)とで囲まれるスロット(97)の下端部にボンド磁石(98)の充填不足Ａが発生する可能性がある。特に、スロット(97)の下端部の外周端付近は角部に形成されているため、この下端部の外周端付近でボンド磁石(98)の充填不足が発生する可能性が高い。
【０００６】
一方、このようはスロット(97)の下端部外周端付近の角部は、減磁し易いため、ボンド磁石を十分に充填してパーミアンスを高めておく必要があるものの、スロット(97)の下端部外周端付近でボンド磁石(98)の充填不足が生じることは、磁力の低下を招き、好ましくない。
【０００７】
本発明は、これに鑑み、その目的は、ボンド磁石をスロットに十分に充填してボンド磁石のスロット端部での減磁の抑制、磁力低下の抑制を図って、トルク特性などの安定性を確保できる磁石埋込型回転子を提供することにある。
【課題を解決するための手段】
【０００８】
本出願の第１の発明の磁石埋込型回転子は、回転電気機械のロータコア(30)に形成したスロット(33)にボンド磁石が注入された磁石埋込型回転子であって、上記ロータコア(30)の回転軸方向の両端部のうち少なくとも一方には、該端部を塞ぐ端板(40)、(71)、(81)、(91)が配置され、上記端板(40)、(71)、(81)、(91)には、上記スロット(33)の少なくとも一部に対応する箇所に上記スロット(33)に開口する凹部(45)、(74)、(84)が形成されて、上記端板(40)、(71)、(81)、(91)の凹部(45)、(74)、(84)には、上記ボンド磁石の一部が注入されていることを特徴とする。
【０００９】
この第１の発明では、ボンド磁石の射出成形時、ロータコアのスロットに注入されたボンド磁石は、更に、そのスロットの回転軸方向の端面から端板の凹部内に注入されることになる。従って、端板の凹部内においてボンド磁石の充填不足が生じたとしても、スロット内、特にそのスロットの減磁し易い端部にもボンド磁石が十分に充填されるので、従来のようにスロットの端部（隅部）でボンド磁石の充填不足は生じない。よって、このスロット端部での減磁や磁力低下を有効に抑制できると共に、磁石埋込型電動機のトルク特性などの安定性が所期通りに確保できる。
【００１０】
また、第２の発明は、上記請求項１記載の磁石埋込型回転子において、上記端板(40)の凹部(45)は、上記スロット(33)の端面形状と同一形状に開口することを特徴とする。
【００１１】
この第２の発明では、端板の凹部の開口形状がスロットの端面形状と同一形状であるので、ボンド磁石の注入（射出）時には、スロットの回転軸方向の端部の中央部や隅部にボンド磁石が確実に注入されて、スロットの減磁し易い端部（隅部）でのボンド磁石の充填不足が有効に抑制される。
【００１２】
更に、第３の発明は、上記請求項１記載の磁石埋込型回転子において、上記端板(71)の凹部(74)は、上記スロット(33)の中央部(33b)のみに開口することを特徴とする。
【００１３】
加えて、第４の発明では、上記請求項１記載の磁石埋込型回転子において、上記端板の凹部(84)は、上記スロット(33)の両端部(33a)のみに開口することを特徴とする。
【００１４】
この第３及び第４の発明では、端板の凹部の体積が少ないので、ボンド磁石の必要量を制限しながら、スロットの減磁し易い端部（隅部）でのボンド磁石の充填不足が有効に抑制される。
【００１５】
また、第５の発明では、上記請求項１、３及び４の何れか１項に記載の磁石埋込型回転子において、上記端板(71)、(81)は、貫通孔を有する２枚の端板(70)、(80)よりなり、上記２枚の端板(70)、(80)のうち一方を他方に対して所定角度ずらして重ねて上記凹部(74)、(84)が形成されていることを特徴とする。
【００１６】
この第５の発明では、貫通孔を有する同一形状の２枚の端板を用いて凹部が形成されるので、凹部を持つ端板を作成する場合に比して、端板の構成を簡易にでき、またこの端板を安価に作成できる。
【発明の効果】
【００１７】
以上説明したように、本願の第１の発明によれば、ボンド磁石の射出成形時、ボンド磁石はスロット端面から端板の凹部内にも注入されるので、たとえ端板の凹部内においてボンド磁石の充填不足が生じたとしても、スロット内にはボンド磁石を十分に充填できので、スロットの減磁し易い端部（隅部）での減磁や磁力低下を有効に抑制できると共に、磁石埋込型電動機のトルク特性などの安定性を所期通りに確保できる。
【００１８】
また、第２の発明によれば、端板の凹部の形状をスロットの端面形状と同一形状としたので、スロットの減磁し易い端部でのボンド磁石の充填不足を有効に抑制することが可能である。
【００１９】
更に、第３及び第４の発明によれば、端板に形成する凹部の体積を少なく制限したので、ボンド磁石の必要量を少量に制限しながら、スロットの減磁し易い端部でのボンド磁石の充填不足を有効に抑制できる。
【００２０】
加えて、第５の発明では、貫通孔を有する同一形状の２枚の端板を用いて凹部を形成したので、凹部を持つ１枚の端板を作成する場合に比して、端板の構成を簡易にでき、またこの端板を安価に作成できる。
【図面の簡単な説明】
【００２１】
【図１】図１は本発明の第１の実施形態の磁石埋込型回転子を持つ磁石埋込型電動機の構成を示す断面図である。
【図２】図２は同磁石埋込型回転子の分解斜視図である。
【図３】図３は同磁石埋込型回転子の磁石用スロット及び下端板の凹部へのボンド磁石の充填の様子を説明する断面図である。
【図４】図４は第２の実施形態の磁石埋込型回転子の分解斜視図である。
【図５】図５は同磁石埋込型回転子の磁石用スロット及び下端板の凹部へのボンド磁石の充填の様子を説明する断面図である。
【図６】図６は第３の実施形態の磁石埋込型回転子の分解斜視図である。
【図７】図７は第４の実施形態の磁石埋込型回転子の分解斜視図である。
【図８】図８は従来の磁石埋込型回転子のスロットへのボンド磁石の充填の様子を説明する断面図である。
【発明を実施するための形態】
【００２２】
以下、本発明の実施形態を図面に基づいて詳細に説明する。尚、以下の実施形態は、本質的に好ましい例示であって、本発明、その適用物、又はその用途の範囲を制限することを意図するものではない。
【００２３】
（第１の実施形態）
図１は、本発明の第１の実施形態に係る磁石埋込型回転子を持つ磁石埋込型電動機の断面構成を示す。
【００２４】
同図において、磁石埋込型電動機(1)は、ステータ(2)と磁石埋込型回転子(3)と回転軸(4)とを備える。
【００２５】
上記ステータ(2)は、円筒状のステータコア(10)とコイル(11)とを備える。上記ステータコア(10)は、電磁鋼板をプレス加工によって打ち抜いて積層板を作成し、複数の積層板を上記回転軸(4)の軸方向（回転軸(4)の軸心Ｏの方向、以下、軸方向という）に積層した積層コアであって、円環状のバックヨーク部(12)に回転軸中心０に向かって延びる直方体状の複数（同図では６つ）のティース部(13)と、該各ティース部(13)の内周側に形成されたツバ部(14)とを有する。そして、上記各ティース部(13)の外周には集中巻方式で上記コイル(11)が巻回されている。上記ツバ部(14)は、内周側の面が円筒面に形成され、この円筒面は磁石埋込型回転子(3)の外周面と所定のエアギャップ(G)をもって対向している。
【００２６】
そして、上記磁石埋込型回転子(3)は、中心に上記回転軸(4)が配置された円筒状のロータコア(30)と、このロータコア(30)内に埋め込まれた４つの円弧状の磁石(31)とを備えた４極構造である。この磁石埋込型回転子(3)の具体的構成を図２に示す。
【００２７】
図２は磁石埋込型回転子(3)の分解斜視図を示す。同図の磁石埋込型回転子(3)において、ロータコア(30)は、円盤状の薄板鋼板よりなる電磁鋼板(30a)を多数枚重ね合わせて構成される。上記各電磁鋼板(30a)には、中央部に回転軸(4)の軸孔(32)が形成されると共に、縁部に４つの円弧状の磁石用スロット(33)が該電磁鋼板(30a)の上下を貫通して形成される。各磁石用スロット(33)は、円弧状の両端部(33a)がロータコア(30)の外周側に位置し、円弧状の中央部(33b)が回転軸(4)に近接する形状である。上記各磁石用スロット(33)には、後述するようにボンド磁石（熱可塑性樹脂混合磁石）を該各磁石用スロット(33)に注入（射出）することにより、該磁石用スロット(33)と同様の円弧状の磁石(31)が埋め込まれる。
【００２８】
また、上記ロータコア(30)の下方には、該ロータコア(30)の下端面を覆う下端板(40)が位置する。上記下端板(40)には、上記ロータコア(30)の各電磁鋼板(30a)と同様に、中央部に回転軸(4)の軸孔(42)が形成されると共に、縁部に４つの円弧状の凹部(45)が形成される。上記各凹部(45)は、上記電磁鋼板(30a)の磁石用スロット(33)と同様に、下端板(40)の外周側に位置する両端部(45a)と、軸孔(42)に近接する中央部(45b)とを有して、これらの両端部(45a)及び中央部(45b)の位置が電磁鋼板(30a)の磁石用スロット(33)の両端部(33a)及び中央部(33b)に対峙して、ロータコア((30))の磁石用スロット(33)の下端開口形状と同一形状に開口、形成されている。
【００２９】
一方、上記ロータコア(30)の軸方向上方には、該ロータコア(30)の上端面を覆う上端板(50)が位置する。この上端板(50)も、上記下端板(40)と同様に、中央部に回転軸(4)の軸孔(52)が形成されるが、ボンド磁石の射出成形時でのボンド磁石の注入孔として、ロータコア(30)の磁石用スロット(33)の上端開口形状と同一形状の４つの円弧状の貫通孔(53)が縁部に形成される。
【００３０】
上記下端板(40)及び上端板(50)は、各々、ロータコア(30)の各電磁鋼板(30a)の厚みよりも厚く形成されると共に、望ましくはアルミニウムなどの非磁性体によりダイカストで一体成形される。
【００３１】
そして、上記ロータコア(30)、下端板(40)及び上端板(50)には、各々、この三者を軸方向からかしめるかしめピン（図示せず）が挿入されるピン挿入孔(60)が縁部に等間隔に４箇所形成されている。
【００３２】
本実施形態では、４つの円弧状の磁石(31)は、ボンド磁石の射出成形により形成される。この射出成形時には、上方から上端板(50)、ロータコア(30)、下端板(40)の順に位置付けた状態でかしめピンを各ピン挿入孔(60)に挿入してこれら全体をかしめた後、ボンド磁石を成形金型のゲートから上端板(50)の貫通孔(53)を通じてロータコア(30)の磁石用スロット(33)に注入（射出）して、円弧状の磁石(31)が射出成形される。
【００３３】
ここで、注入されたボンド磁石は、ロータコア(30)の磁石用スロット(33)内の空間だけでなく、下端板(40)の凹部(45)にも注入される。この下端板(40)の凹部(45)の上面開口形状は、ロータコア(30)の磁石用スロット(33)の下端面形状と同一形状であるので、各磁石用スロット(33)に注入されたボンド磁石はそれら磁石用スロット(33)の回転軸方向の端面全体からこの端面に続く端板(40)の凹部(45)内に注入される。そして、この注入されるボンド磁石の体積はロータコア(30)の磁石用スロット(33)の全容積を越えるので、図３に示したように、たとえ下端板(40)の凹部(45)の両端部(45a)にボンド磁石の充填不足が生じたとしても、ロータコア(30)の磁石用スロット(33)の左右両端部(33a)にはボンド磁石の充填不足は生じず、ボンド磁石は十分に充填される。特に、下端板(40)の各凹部(45)の形状が円弧状であるので、射出成形時の雰囲気温度やボンド磁石の温度の変化に影響されずにボンド磁石の充填が安定する。
【００３４】
よって、射出成形された円弧状の磁石(31)は、設計通りの形状に成形されて、減磁し易い磁石用スロット(33)の両端部(33a)でのボンド磁石の十分な充填によりその減磁抑制が図られると共に、磁力低下が抑制され、更には、磁石埋込型電動機(1)のトルク特性が所望通りに安定する。
【００３５】
（第２の実施形態）
図４は、本発明の第２の実施形態に係る磁石埋込型回転子(3)の分解斜視図を示す。
【００３６】
同図に示した磁石埋込型回転子(3)は、下端板の構成が図２の下端板(40)と異なる。同図の下端板では、２枚の端板(70)により下端板(71)が構成される。この各端板(70)は、中央部に回転軸(4)の軸孔(72)を有すると共に、４つの貫通孔(73)を有する。これらの貫通孔(73)は、各々、ロータコア(30)の磁石用スロット(33)の中央部(33b)に対峙して開口する四角形状に形成される。この２枚の端板(70)のうち下側の端板(70)を上側の端板(70)に対して磁極ピッチの１／２だけ回転（本実施形態では４５°回転）させた状態でこの２枚の端板(70)を重ね合わせて、上側の端板(70)の貫通孔(73)を下側の端板(70)の平板部分（貫通孔(73)以外の部分）で塞ぐことにより、下端板(71)に４つの凹部(74)が形成されている。
【００３７】
上記２枚の端板(70)は、一方を４５°回転させて下端板(71)に凹部(74)を形成する構成であるので、各端板(70)には、縁部にピン挿入孔(60)が４５°隔てて合計８つ形成されている。その他の構成は、上記第１の実施形態と同一であるので、同一箇所に同一符号を付してその説明を省略する。
【００３８】
本実施形態では、ボンド磁石の射出成形時には、上端板(50)の各貫通孔(53)の両端部をゲート(g)としてボンド磁石が注入（射出）される。この注入されたボンド磁石は、ロータコア(30)の磁石用スロット(33)内の空間をその両端部(33a)から中央部(33b)に向かって充填すると共に、この中央部(33b)から、この中央部(33b)のみに開口する下端板(71)の凹部(74)にも流出する。
【００３９】
従って、上記第１の実施形態と同様に、注入されるボンド磁石の体積はロータコア(30)の磁石用スロット(33)の全容積を越え、しかも磁石用スロット(33)内の充填不足が生じ易い左右両端部(33a)を最初に充填するので、図５に示したように、たとえ下端板(71)の凹部(74)の左右両端部(45a)にボンド磁石の充填不足が生じたとしても、ロータコア(30)の磁石用スロット(33)の左右両端部(33a)にはボンド磁石の充填不足は生じず、ボンド磁石は十分に充填される。従って、第１の実施形態と同様に、射出成形された円弧状の磁石(31)は、設計通りの形状に成形されて、減磁し易い磁石用スロット(33)の左右両端部(33a)でのボンド磁石の十分な充填によりその減磁抑制が図られると共に、磁力低下が抑制され、更には、磁石埋込型電動機(1)のトルク特性が所望通りに安定する。また、ウェルドラインとなる中央部(33b)には下端板(71)に凹部(74)があるので、ロータコア(30)内部の磁石用スロット(33)内には充填不足は生じない。従って、一般的に着磁率（配向率）の低下する磁石中央部（最もロータ内部に位置する部分）に充填不足が発生せず、減磁を避けることができる。
【００４０】
しかも、本実施形態では、下端板(71)の凹部(74)はロータコア(30)の磁石用スロット(33)の中央部(33b)のみに開口するので、第１の実施形態のように磁石用スロット(33)の下面全体に開口する場合に比して、少ないボンド磁石容量でもって磁石用スロット(33)の減磁し易い左右両端部(33a)へのボンド磁石の充填不足を解消することが可能である。
【００４１】
（第３の実施形態）
図６は、本発明の第３の実施形態に係る磁石埋込型回転子(3)の分解斜視図を示す。
【００４２】
同図に示した磁石埋込型回転子(3)は、下端板の構成が図４の下端板(70)と異な
る。同図の下端板では、２枚の端板(80)により下端板(81)を構成する点、及び、この各端板(80)に貫通孔(83)を形成する点は上記第２の実施形態と同様であるが、各貫通孔(83)は、ロータコア(30)の磁石用スロット(33)の両端部(33a)に対峙して縁部に開口する四角形状に合計８つ形成される。そして、上記第２の実施形態と同様に、２枚の端板(80)のうち下側の端板(80)を上側の端板(80)に対して磁極ピッチの１／２だけ回転（本実施形態では９０角度回転）させた状態でこの２枚の端板(80)を重ね合わせて、上側の端板(80)の貫通孔(83)を下側の端板(80)の平板部分（貫通孔(83)以外の部分）で塞ぐことにより、下端板(81)に８つの凹部(84)が形成されている。その他の構成は、上記第２の実施形態と同一である。
【００４３】
本実施形態では、ボンド磁石の射出成形時には、上端板(50)の各貫通孔(53)の中央部をゲート(g)としてボンド磁石が注入（射出）される。この注入されたボンド磁石は、ロータコア(30)の磁石用スロット(33)内の空間をその中央部(33b)から両端部(33a)に向かって充填すると共に、この両端部(33a)から、この両端部(33a)のみに開口する下端板(81)の凹部(84)にも流出する。
【００４４】
従って、上記第２の実施形態と同様に、注入されるボンド磁石の体積はロータコア(30)の磁石用スロット(33)の全容積を越え、しかも磁石用スロット(33)の左右両端部(33a)からこの両端部(33a)に開口する下端板(81)の凹部(84)にボンド磁石が更に注入されるので、たとえ下端板(81)の凹部(84)の左右両端部にボンド磁石の充填不足が生じたとしても、ロータコア(30)の磁石用スロット(33)の左右両端部(33a)にはボンド磁石の充填不足は生じず、ボンド磁石は十分に充填される。従って、第２の実施形態と同様に、射出成形された円弧状の磁石(31)は、設計通りの形状に成形されて、減磁し易い磁石用スロット(33)の左右両端部(33a)でのボンド磁石の十分な充填によりその減磁抑制が図られると共に、磁力低下が抑制され、更には、磁石埋込型電動機(1)のトルク特性が所望通りに安定する。
【００４５】
しかも、本実施形態では、下端板(81)の凹部(84)はロータコア(30)の磁石用スロット(33)の左右両端部(33a)のみに開口するので、第１の実施形態のように磁石用スロット(33)の下面全体に開口する場合に比して、少ないボンド磁石容量でもって磁石用スロット(33)の減磁し易い左右両端部(33a)へのボンド磁石の充填不足を解消することが可能である。
【００４６】
（第４の実施形態）
図７は、本発明の第４の実施形態に係る磁石埋込型回転子(3)の分解斜視図を示す。
【００４７】
同図に示した磁石埋込型回転子(3)は、２枚の端板(80)、(90)により下端板(91)が構成され、その上側の端板(80)は上記第３の実施形態の上側の端板(80)と同一構成である。一方、下側の端板(90)はバランスウエイトで構成される。このバランスウエイト(90)は、回転軸(4)が例えば空気調和機の圧縮機のように偏心したピストンを駆動する回転軸である場合に使用され、その中央部に回転軸(4)の軸孔(92)を有すると共に、図中下側半分には半円状のウエイト部(93)が、図中上側には縁部を残して半円状の空間部(94)が形成されている。そして、上側の端板(80)と下側の端板（バランスウエイト）(90)とを重ね合わせて、上側の端板(80)の縁部に位置する貫通孔(83)をバランスウエイト(90)の縁部で塞ぐことにより、下端板(91)に４つの凹部(84)が形成されている。
【００４８】
従って、本実施形態でも、上記第３の実施形態と同様に、少ないボンド磁石容量でもって、ロータコア(30)の磁石用スロット(33)の左右両端部(33a)でのボンド磁石の充填不足を抑制して、この磁石用スロット(33)の左右両端部(33a)での減磁抑制効果や磁力低下の抑制効果が得られると共に、磁石埋込型電動機(1)のトルク特性を所望通りに安定させることが可能である。
【００４９】
また、本実施形態では、下端板(91)の２枚の端板(80)、(90)のうち下側の端板(90)がバランスウエイト(90)により兼用されているので、磁石埋込型回転子(3)の重量を軽減することが可能である。
【００５０】
（その他の実施形態）
本発明は、上記各実施形態について、以下のような構成としてもよい。
【００５１】
上記第１〜第４の実施形態では、４極構造の磁石埋込型回転子(3)を例示して説明したが、本発明は６極構造や、８極以上の構造の磁石埋込型回転子に適用できるのは勿論である。
【００５２】
また、磁石(31)及びロータコア(30)の磁石用スロット(33)は、磁極当り１つの円弧状としたが、この円弧状を同心円状に複数個配置した構成を採用しても良い。また、これらの磁石(31)及びロータコア(30)の磁石用スロット(33)の形状は円弧状に限らず、直方体形状であっても良く、要は、下端板(40)、(71)、(81)、(91)の凹部(45)、(74)、(84)をロータコア(30)の磁石用スロット(33)の下面の一部又は全部に開口するように形成すれば良い。
【００５３】
更に、上記第１〜第４の実施形態では、ロータコア(30)の軸方向上側に上端板(50)を配置して、この上端板(50)とロータコア(30)と下端板(40)、(71)、(81)又は(91)とをかしめピンで締結したが、上端板(50)を配置せず、ロータコア(30)と下端板(40)、(71)、(81)又は(91)とをかしめピンで締結しても良い。
【産業上の利用可能性】
【００５４】
以上説明したように、本発明は、ロータコアのスロットにボンド磁石が注入された磁石埋込型回転子において、上記スロットの軸方向の端面の少なくとも一部に開口する凹部を有する端板を設けたので、ロータコアのスロット、特にそのスロットの減磁し易い端部にボンド磁石が十分に充填された磁石埋込型回転子を得ることができ、これを備えた磁石埋込型電動機に適用して有用である。
【符号の説明】
【００５５】
１         磁石埋込型電動機
２         ステータ
３         磁石埋込型回転子
４         回転軸
３０       ロータコア
３０ａ     積層鋼板
３１       磁石
３２       軸孔
３３       磁石用スロット
３３ａ     端部
３３ｂ     中央部
４０、７１、８１、９１     下端板
４２、５２、８２、９２      軸孔
４５、７４、８４       凹部
５０       上端板
５３       貫通孔
ｇ         ゲート
６０       ピン挿入孔
７０、８０     端板
７３、８３       貫通孔
９０       バランスウエイト
９３       ウエイト部
９４       空間部
【図１】
2014057443.tif 000003
【図２】
2014057443.tif 000004
【図３】
2014057443.tif 000005
【図４】
2014057443.tif 000006
【図５】
2014057443.tif 000007
【図６】
2014057443.tif 000008
【図７】
2014057443.tif 000009
【図８】
2014057443.tif 000010